(57)【要約】【課題】不必要な位置登録処理の発生を抑制し、消費電力を低減することが可能な移動無線端末装置を提供することを目的とする。【解決手段】制御部１００ａは、報知情報を受信したセルの識別情報と、そのセルが属する位置登録エリアの識別情報を対応づけてセル情報記憶エリア１０４１に記録しておくとともに、最後に位置登録を行った位置登録エリアの識別情報を位置登録エリア記憶エリア１０４２に記録しておく。そして、セル情報記憶エリア１０４１に記録される過去に検出したセルで、かつ最後に位置登録を行った位置登録エリアに属するものについて、優先的に報知情報の受信を行うようにしたものである。【選択図】      図１
2006333252.tif 000002
【特許請求の範囲】
【請求項１】
互いに異なる位置登録エリアに属するセルを複数形成する移動無線通信システムで用いられ、前記セルを通じて無線通信を行う移動無線端末装置において、
前記セルから、そのセルが属する位置登録エリアの識別情報を含む報知情報を受信する受信手段と、
最後に位置登録を行った位置登録エリアの識別情報を記憶する位置登録エリア記憶手段と、
セルから前記報知情報を受信した場合に、前記報知情報に含まれる位置登録エリアの識別情報と、前記セルの識別情報とを対応づけて記憶するセル情報記憶手段と、
前記位置登録エリア記憶手段が記憶する情報と前記セル情報記憶手段が記憶する情報に基づいて、前記位置登録エリア記憶手段が記憶する位置登録エリアに属するセルを特定し、このセルから優先的に報知情報を受信するように前記受信手段を制御する制御手段とを具備することを特徴とする移動無線端末装置。
【請求項２】
前記制御手段は、接続を拒否するリジェクト情報を受信した場合に、前記位置登録エリア記憶手段が記憶する情報と前記セル情報記憶手段が記憶する情報に基づいて、前記位置登録エリア記憶手段が記憶する位置登録エリアに属するセルを特定し、このセルから非優先的に報知情報を受信するように前記受信手段を制御することを特徴とする請求項１に記載の移動無線端末装置。
【請求項３】
互いに異なる位置登録エリアに属するセルを複数形成する移動無線通信システムで用いられ、前記セルを通じて無線通信を行う移動無線端末装置において、
前記セルを検出するセル検出手段と、
前記セルから、そのセルが属する位置登録エリアの識別情報を含む報知情報を受信する受信手段と、
最後に位置登録を行った位置登録エリアの識別情報を記憶する位置登録エリア記憶手段と、
セルから前記報知情報を受信した場合に、前記報知情報に含まれる位置登録エリアの識別情報と、前記セルの識別情報とを対応づけて記憶するセル情報記憶手段と、
前記位置登録エリア記憶手段が記憶する情報と前記セル情報記憶手段が記憶する情報に基づいて、前記位置登録エリア記憶手段が記憶する位置登録エリアに属するセルを前記セル検出手段が検出するように繰り返し制御し、この繰り返し制御が予め設定した回数以内実行される間に前記セルが検出できた場合には、このセルから報知情報を受信するように前記受信手段を制御し、一方、前記回数以内実施しても前記セルを検出できない場合には、このセル以外のセルから報知情報を受信するように前記受信手段を制御する制御手段とを具備することを特徴とする移動無線端末装置。
【請求項４】
互いに異なる位置登録エリアに属するセルを複数形成する移動無線通信システムで用いられ、前記セルを通じて無線通信を行う移動無線端末装置において、
前記セルから、そのセルが属する位置登録エリアの識別情報を含む報知情報を受信する受信手段と、
複数のセルを検出するセル検出手段と、
最後に位置登録を行った位置登録エリアの識別情報を記憶する位置登録エリア記憶手段と、
セルから前記報知情報を受信した場合に、前記報知情報に含まれる位置登録エリアの識別情報と、前記セルの識別情報とを対応づけて記憶するセル情報記憶手段と、
前記位置登録エリア記憶手段が記憶する情報と前記セル情報記憶手段が記憶する情報に基づいて、前記位置登録エリア記憶手段が記憶する位置登録エリアに属するセルを特定し、前記セル検出手段が検出した複数のセルに、前記特定したセルが含まれる場合には、このセルから報知情報を受信するように前記受信手段を制御する制御手段とを具備することを特徴とする移動無線端末装置。
【請求項５】
前記セル検出手段は、セルを検出する際に、セルからの信号の受信レベルを検出するものであって、
前記制御手段は、前記セル検出手段が検出した複数のセルに、前記特定したセルが含まれない場合には、前記セル検出手段が検出したセルのうち、前記セル検出手段が検出した受信レベルが最も高いセルから報知情報を受信するように前記受信手段を制御することを特徴とする請求項４に記載の移動無線端末装置。
【発明の詳細な説明】
【技術分野】
【０００１】
この発明は、例えば携帯電話などの移動通信システムで用いられる移動無線端末装置に関する。
【背景技術】
【０００２】
周知のように、携帯電話システムなどの移動通信システムは、多数の基地局がそれぞれセル（無線ゾーン）を形成する。そして各セルは、それぞれ予め定められた位置登録エリアに属するものとしてシステムから扱われ、移動無線端末装置は、選択したセルが属する位置登録エリアに対応づけてその所在が管理され、発着信処理が成される。
【０００３】
従来の移動無線端末装置は、待ち受け時に選択したセルから受信した報知情報に含まれる位置登録エリアの識別情報に基づいて、待ち受けに必要な位置登録処理を実施する必要があるか否かを判断している（例えば、非特許文献１参照）。新たにセルを選択し、このセルが属するの位置登録エリアが、以前選択していたセルの位置登録エリアと異なる場合には、位置登録処理を実施することによって、新たに選択したセルにおいても待ち受けすることが可能となっている。
【０００４】
ところで、上記非特許文献１の規格では、セル選択を行い、これに続いて位置登録処理が行われると、該当セルへの送信を伴う接続モードとなる。そして、位置登録処理が完了し、接続モードを終えた場合には、セル選択が行われるようになっている。
【０００５】
このため、上記セル選択にて選択したセルが、上記位置登録処理で位置登録したエリアと異なる位置登録エリアに属する場合には、位置登録処理が行われたばかりにもかかわらず、再度位置登録が発生してしまうことになる。
【０００６】
このような状態は特に、異なる位置登録エリアをもつセルが複数近接する環境下に端末が置かれていた場合に陥りやすい。このため、最悪の状態では、セル選択毎に毎回位置登録動作が発生してしまうことになり、バッテリ電力の浪費に繋がる。
【非特許文献１】３ＧＰＰ規格ＴＳ２３．１２２、ＴＳ２５．３０４
【発明の開示】
【発明が解決しようとする課題】
【０００７】
従来の移動無線端末装置では、位置登録処理が行われたばかりにもかかわらず、その後のセル選択に伴って、再度位置登録が発生することがあり、状況によっては、セル選択毎に毎回位置登録動作が発生してしまうことになり、バッテリ電力の浪費に繋がるという問題があった。  
この発明は上記の問題を解決すべくなされたもので、不必要な位置登録処理の発生を抑制し、消費電力を低減することが可能な移動無線端末装置を提供することを目的とする。
【課題を解決するための手段】
【０００８】
上記の目的を達成するために、この発明は、互いに異なる位置登録エリアに属するセルを複数形成する移動無線通信システムで用いられ、前記セルを通じて無線通信を行う移動無線端末装置において、前記セルから、そのセルが属する位置登録エリアの識別情報を含む報知情報を受信する受信手段と、最後に位置登録を行った位置登録エリアの識別情報を記憶する位置登録エリア記憶手段と、セルから前記報知情報を受信した場合に、前記報知情報に含まれる位置登録エリアの識別情報と、前記セルの識別情報とを対応づけて記憶するセル情報記憶手段と、前記位置登録エリア記憶手段が記憶する情報と前記セル情報記憶手段が記憶する情報に基づいて、前記位置登録エリア記憶手段が記憶する位置登録エリアに属するセルを特定し、このセルから優先的に報知情報を受信するように前記受信手段を制御する制御手段とを具備して構成するようにした。
【発明の効果】
【０００９】
この発明によれば、不必要な位置登録処理の発生を抑制し、消費電力を低減することが可能な移動無線端末装置を提供できる。
【発明を実施するための最良の形態】
【００１０】
以下、図面を参照して、この発明の一実施形態について説明する。  
図１は、この発明の第１の実施形態に係わる移動無線端末装置の構成を示すものである。この移動無線端末装置は、アンテナ１０１と、送受信部１０２と、信号処理部１０３と、記憶部１０４ａと、制御部１００ａとを備えている。ここでは、移動無線端末装置の例として、３ＧＰＰ規格ＴＳ２３．１２２、ＴＳ２５．３０４に準拠したＷ−ＣＤＭＡ（Wideband Code Division Multiple Access）方式の移動無線通信システムで用いられ、音声通信やデータ通信を行うものを例に挙げる。
【００１１】
送受信部１０２は、アンテナ１０１を通じて、移動通信網に収容される基地局ＢＳと、Ｗ−ＣＤＭＡ方式で無線通信するものである。具体的には、送受信部１０２は、信号処理部１０３にて生成された変調信号に基づいて、制御部１００ａから指示されるキャリア周波数の無線信号を生成する。なお、この無線信号の生成に用いられる拡散符号は、制御部１００ａによって指示される。
【００１２】
また送受信部１０２は、制御部１００ａから指示されるキャリア周波数の無線信号を受信する。この受信結果は、信号処理部１０３および制御部１００ａに出力される。なお、上記無線信号の受信の際に用いられる拡散符号は、制御部１００ａによって指示される。その他、送受信部１０２は、逆拡散により得られた受信信号の受信レベルを検出する機能を備え、検出した受信レベルは制御部１００ａに通知する。
【００１３】
信号処理部１０３は、送話音声信号を符号化する。また、この符号化によって得た音声データやその他のデータに基づいて上記変調信号を生成し、これを上記送受信部１０２に出力する。また信号処理部１０３は、送受信部１０２が受信した信号を復調し、この復調結果を復号して音声データなどを得る。
【００１４】
記憶部１０４ａは、当該移動無線端末装置の制御プログラムや制御データ、当該移動無線端末装置やユーザに固有に割り当てられた識別情報を記憶するものであって、このほかに、名前と電話番号を対応づけた電話帳データや、データ通信により取得したデータやダウンロードしたデータを記憶する。また記憶部１０４ａは、セル情報記憶エリア１０４１、位置登録エリア記憶エリア１０４２および候補セル情報記憶エリア１０４３を備える。
【００１５】
セル情報記憶エリア１０４１は、図２に示すように、過去に着信待ち受け（以下、待ち受けと略称する）のために選択したセルに対応する拡散符号の識別情報と、上記セルから送信されるパイロット信号を受信するために用いたサーチ周波数の識別情報と、上記セルが属する位置登録エリアの識別情報とを対応づけて記憶するエリアである。
【００１６】
なお、実装上の兼ね合いから、上記セル情報記憶エリア１０４１に情報の組は、例えば１０組程度とする。このセル情報記憶エリア１０４１に対する情報の書き込みは、制御部１００ａによってなされる。
【００１７】
またセル情報記憶エリア１０４１に記録される情報は、新旧が判別できるように時系列で記憶され、制御部１００ａによって追加記録される場合には、追加される情報は最新の情報として記録され、この追加の際に最も古い情報が削除される。また制御部１００ａによって更新記録される場合には、元の情報が更新されて最新の情報として記録される。
【００１８】
位置登録エリア記憶エリア１０４２は、最後に位置登録を行った位置登録エリアの識別情報を記憶するエリアである。  
候補セル情報記憶エリア１０４３は、セルサーチ処理によって検出されたセルの情報を記憶するエリアである。
【００１９】
制御部１００ａは、記憶部１０４ａが記憶する制御プログラムや制御データにしたがって、当該移動無線端末装置の各部を統括して制御するものである。具体的には、送受信部１０２が用いるキャリア周波数および拡散符号の制御や、信号処理部１０３の動作制御を行い、通信可能なセルの探索や、位置登録処理、発着信制御、通話制御などを行う。
【００２０】
なお、図１には図示しないが、移動無線端末装置は、受話音声信号を拡声出力するスピーカや、送話音声信号を入力するマイクロホン、音声データを上記受話音声信号に変換する手段や、送話音声信号を音声データに変換する手段、受信データに基づく画像を表示する表示手段、ユーザに要求を受け付ける操作部などを備える。
【００２１】
また図１では、基地局ＢＳを１つだけ示しているが、実際には多数存在し、それぞれ予めシステムで決定されたセルを形成する。また少なくとも１つのセルによって、上記位置登録エリアが形成される。各基地局ＢＳは、報知情報を定期的に送信しており、上記報知情報には、この報知情報の送信元の基地局ＢＳのセル情報や、属する位置登録エリアの識別情報が含まれる。
【００２２】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、通信すべき基地局ＢＳの選択に関わる動作について説明する。
【００２３】
図３は、通信すべき基地局ＢＳを選択する動作について説明するフローチャートであって、この処理は制御部１００ａによってなされる。このフローチャートに示す制御を実現するための制御プログラムは、記憶部１０４ａに記録される。この処理は、電源投入時、接続断後、待ち受け時のリセレクションなどその他３ＧＰＰ規格で規定される基地局ＢＳの選択が必要とされる時点において実施される。
【００２４】
まず、ステップ３ａにおいて制御部１００ａは、セルサーチ処理の実施回数を示すカウンタ値ｋを０に初期設定し、ステップ３ｂに移行する。続いてステップ３ｂにおいて制御部１００ａは、セルサーチ処理を実施し、この処理によって検出したセルの情報を候補セル情報記憶エリア１０４３に記録して、ステップ３ｃに移行する。
【００２５】
なお、上記セルサーチ処理の具体的な処理としては、送受信部１０２を制御し、これに種々のキャリア周波数および拡散符号を順次割り当てて、基地局ＢＳから送信されるパイロット信号を探索し、受信に適したセルを最大ｎ個検出する（ｎ＞１）。そして、この時点で既に候補セル情報記憶エリア１０４３に記録されていたセルの情報（前回のセルサーチ処理によって得られた情報）を消去する。そして、今回のセルサーチ処理で検出したセルに対応するパイロット信号の受信レベル、受信に用いた周波数および拡散符号の各識別情報を対応づけて、候補セル情報記憶エリア１０４３に記録する。
【００２６】
ステップ３ｃにおいて制御部１００ａは、カウンタ値ｋに「１」を加算し、ステップ３ｄに移行する。  
ステップ３ｄにおいて制御部１００ａは、候補セル情報記憶エリア１０４３に記録される情報を参照し、ステップ３ｂで実施したセルサーチ処理でセルが検出できたか否かを判定する。ここで、セルが検出できた場合には、ステップ３ｆに移行する。一方、セルが検出できなかった場合には、ステップ３ｅに移行する。
【００２７】
ステップ３ｅにおいて制御部１００ａは、カウンタ値ｋが予め設定された閾値ｋｍａｘ以上か否かを判定する。ここで、カウンタ値ｋが予め設定された閾値ｋｍａｘ以上、すなわちステップ３ｂのセルサーチ処理をｋｍａｘ回以上行った場合には、当該処理を終了し、表示手段に当該無線通信端末が運用できないサービス圏外に位置する旨の表示を行うとともに、圏外処理を実施する。
【００２８】
一方、カウンタ値ｋが予め設定された閾値ｋｍａｘ未満、すなわちステップ３ｂのセルサーチ処理をｋｍａｘ回以上行っていない場合には、ステップ３ｂに移行して、再度、セルサーチ処理を実施する。
【００２９】
ステップ３ｆにおいて制御部１００ａは、ステップ３ｂで候補セル情報記憶エリア１０４３に記録したセルのうち、受信レベルが最も高いパイロット信号に対応するセルを選択し、ステップ３ｇに移行する。
【００３０】
ステップ３ｇにおいて制御部１００ａは、セル情報記憶エリア１０４１に記憶されている拡散符号の識別情報を参照し、ステップ３ｆで選択したセルがセル情報記憶エリア１０４１に記録されているか否かを判定する。
【００３１】
ここで、ステップ３ｆで選択したセルがセル情報記憶エリア１０４１に記録されている場合には、過去に検出したことのあるセルであると判定し、ステップ３ｈへ移行する。一方、ステップ３ｆで選択したセルがセル情報記憶エリア１０４１に記録されていない場合には、過去に検出したことのないセルであると判定し、ステップ３ｏへ移行する。
【００３２】
ステップ３ｈにおいて制御部１００ａは、ステップ３ｆで選択したセルがセル情報記憶エリア１０４１で対応づけられている位置登録エリアの識別情報を検出し、この識別情報が、位置登録エリア記憶エリア１０４２に記憶されている最後に位置登録を行った位置登録エリアの識別情報と一致するか否かを判定する。ここで、２つの位置登録エリアの識別情報が一致する場合には、ステップ３ｍに移行し、一方、一致しない場合には、ステップ３ｉに移行する。
【００３３】
ステップ３ｉにおいて制御部１００ａは、カウンタ値ｋが予め設定された閾値ｋｍａｘ以上か否かを判定する。ここで、カウンタ値ｋが閾値ｋｍａｘ以上、すなわちステップ３ｂのセルサーチ処理をｋｍａｘ回以上行った場合には、ステップ３ｆで選択したセルから報知情報を受信するために、ステップ３ｊに移行する。
【００３４】
一方、カウンタ値ｋが予め設定された閾値ｋｍａｘ未満、すなわちステップ３ｂのセルサーチ処理をｋｍａｘ回以上行っていない場合には、再びステップ３ｂに移行して、再度、セルサーチ処理を実施する。
【００３５】
ステップ３ｊにおいて制御部１００ａは、ステップ３ｆで選択したセルに対応する周波数および拡散符号の識別情報をセル情報記憶エリア１０４１から読みだし、これらの情報に基づいて送受信部１０２を制御して、ステップ３ｆで選択したセルに対応する基地局ＢＳが送信する報知情報を受信し、ステップ３ｋに移行する。
【００３６】
ステップ３ｋにおいて制御部１００ａは、セル情報記憶エリア１０４１が記憶する情報のうち、ステップ３ｆで選択したセルに対応する情報を、ステップ３ｊで受信した報知情報に基づいて更新し、ステップ３ｌに移行する。この更新処理により、ステップ３ｊで受信した報知情報が、最新の情報としてセル情報記憶エリア１０４１に記憶される。
【００３７】
ステップ３ｌにおいて制御部１００ａは、ステップ３ｊで受信した情報の基づいて送受信部１０２を制御し、ステップ３ｆで選択したセルを通じて位置登録処理を実施する。これにより、基地局ＢＳを収容する移動通信システムでは、当該移動無線端末装置が、ステップ３ｆで選択したセル内に存在するものとして、発着信などの種々の制御を行うことになる。
【００３８】
また、ステップ３ｌにおいて制御部１００ａは、位置登録エリア記憶エリア１０４２に、ステップ３ｆで選択したセルに対応する位置登録エリアの識別情報を、最後に位置登録を行ったエリアとして記録し、当該処理を終了する。
【００３９】
一方、ステップ３ｍにおいて制御部１００ａは、ステップ３ｆで選択したセルに対応する周波数および拡散符号の識別情報をセル情報記憶エリア１０４１から読みだし、これらの情報に基づいて送受信部１０２を制御して、ステップ３ｆで選択したセルに対応する基地局ＢＳが送信する報知情報を受信し、ステップ３ｎに移行する。
【００４０】
ステップ３ｎにおいて制御部１００ａは、セル情報記憶エリア１０４１が記憶する情報のうち、ステップ３ｆで選択したセルに対応する情報を、ステップ３ｍで受信した報知情報に基づいて更新し、当該処理を終了する。この更新処理により、ステップ３ｍで受信した報知情報が、最新の情報としてセル情報記憶エリア１０４１に記憶される。
【００４１】
ステップ３ｏにおいて制御部１００ａは、カウンタ値ｋが予め設定された閾値ｋｍａｘ以上か否かを判定する。ここで、カウンタ値ｋが閾値ｋｍａｘ以上、すなわちステップ３ｂのセルサーチ処理をｋｍａｘ回以上行った場合には、ステップ３ｆで選択したセルから報知情報を受信するために、ステップ３ｐに移行する。
【００４２】
一方、カウンタ値ｋが予め設定された閾値ｋｍａｘ未満、すなわちステップ３ｂのセルサーチ処理をｋｍａｘ回以上行っていない場合には、再びステップ３ｂに移行して、再度、セルサーチ処理を実施する。
【００４３】
ステップ３ｐにおいて制御部１００ａは、ステップ３ｆで選択したセルに対応する周波数および拡散符号の識別情報をセル情報記憶エリア１０４１から読みだし、これらの情報に基づいて送受信部１０２を制御して、ステップ３ｆで選択したセルに対応する基地局ＢＳが送信する報知情報を受信し、ステップ３ｑに移行する。
【００４４】
ステップ３ｑにおいて制御部１００ａは、ステップ３ｐで受信した報知情報に基づいて、ステップ３ｆで選択したセルに対応する拡散符号の識別情報と、上記セルから送信されるパイロット信号を受信するために用いたサーチ周波数の識別情報と、上記セルが属する位置登録エリアの識別情報とを対応づけて、最新の情報としてセル情報記憶エリア１０４１に追加記録し、ステップ３ｒに移行する。この追加記録により、セル情報記憶エリア１０４１が記憶する情報のうち、最も古い情報が削除される。
【００４５】
ステップ３ｒにおいて制御部１００ａは、ステップ３ｆで選択したセルがセル情報記憶エリア１０４１で対応づけられている位置登録エリアの識別情報を検出し、この識別情報が、位置登録エリア記憶エリア１０４２に記憶されている最後に位置登録を行った位置登録エリアの識別情報と一致するか否かを判定する。ここで、２つの位置登録エリアの識別情報が一致する場合には、当該処理を終了し、一方、一致しない場合には、ステップ３ｓに移行する。
【００４６】
ステップ３ｓにおいて制御部１００ａは、ステップ３ｐで受信した情報の基づいて送受信部１０２を制御し、ステップ３ｆで選択したセルを通じて位置登録処理を実施する。これにより、基地局ＢＳを収容する移動通信システムでは、当該移動無線端末装置が、ステップ３ｆで選択したセル内に存在するものとして、発着信などの種々の制御を行うことになる。
【００４７】
また、ステップ３ｓにおいて制御部１００ａは、位置登録エリア記憶エリア１０４２に、ステップ３ｆで選択したセルに対応する位置登録エリアの識別情報を、最後に位置登録を行ったエリアとして記録し、当該処理を終了する。
【００４８】
以上のように、上記構成の移動無線端末装置では、報知情報を受信したセルの識別情報と、そのセルが属する位置登録エリアの識別情報を対応づけてセル情報記憶エリア１０４１に記録しておくとともに、最後に位置登録を行った位置登録エリアの識別情報を位置登録エリア記憶エリア１０４２に記録しておく。
【００４９】
そして、セルサーチ処理の結果、検出したセルが、セル情報記憶エリア１０４１に記録されていないもの、つまり過去に検出していないセルであったり、あるいは最後に位置登録を行った位置登録エリアに属するものでない場合には、改めてセルサーチを行うようにする。
【００５０】
その一方で、セル情報記憶エリア１０４１に記録される過去に検出したセルで、かつ最後に位置登録を行った位置登録エリアに属するものについては、優先的に報知情報の受信を行うようにしている。すなわち、過去に検出したセルで、かつ最後に位置登録を行った位置登録エリアに属するセルを、優先的に報知情報の受信対象セルとするようにしている。
【００５１】
したがって、上記構成の移動無線端末装置によれば、過去に検出したセルで、かつ最後に位置登録を行った位置登録エリアに属するセルは、報知情報を受信したとしても位置登録処理を行う必要はないので、このようなセルを優先的に報知情報の受信対象セルとすることで、位置登録処理の実施回数が低減され、これにより不必要な位置登録処理の発生を抑制し、消費電力を低減することができる。
【００５２】
また、セルサーチの結果、検出したセルが、セル情報記憶エリア１０４１に記録されていない、すなわち過去に検出していないものであったり、あるいは最後に位置登録を行った位置登録エリアに属するものでない場合には、改めてセルサーチを行うが、セルサーチの実施回数が閾値ｋｍａｘに達した場合には、セル情報記憶エリア１０４１に記録されていないセルであったり、あるいは最後に位置登録を行った位置登録エリアに属するセルでなくても、報知情報を受信し、位置登録処理を行うようにしている。
【００５３】
このため、セル情報記憶エリア１０４１に記録され、かつ最後に位置登録を行った位置登録エリアに属するセルが見つからない場合でも、やがて位置登録処理が行われことになる。このため、移動に伴って位置登録の必要性が生じた場合でも、正常な運用が可能である。
【００５４】
なお、この発明は上記実施形態そのままに限定されるものではなく、種々の変形が可能である。その一例として例えば、上記実施の形態では、ステップ３ａからステップ３ｂに移行した場合、ステップ３ｅからステップ３ｂに移行した場合、ステップ３ｉからステップ３ｂに移行した場合、およびステップ３ｏからステップ３ｂに移行した場合で、これらを区別することなく、ステップ３ｃでカウンタ値ｋをインクリメントするようにしている。
【００５５】
これに代わって例えば、ステップ３ｂに遷移する過程に応じて、異なるカウンタ値ｋを用いるようにし、ステップ３ｅ、３ｉ、３ｏでそれぞれに対応するカウンタ値ｋを判定するようにしてもよい。
【００５６】
次に、この発明の第２の実施形態に係わる移動無線端末装置について説明する。その構成を図４に示す。図４に示した移動無線端末装置は、図１に示した移動無線端末装置の構成と同様であるが、後述するように、通信すべき基地局ＢＳを選択する動作において制御内容が異なる。上記動作を実現するため制御手段として、制御部１００ａに代わって制御部１００ｂを備え、記憶部１０４ａに代わり記憶部１０４ｂを備える。
【００５７】
制御部１００ｂは、記憶部１０４ｂが記憶する制御プログラムや制御データにしたがって、当該移動無線端末装置の各部を統括して制御するものである。具体的には、送受信部１０２が用いるキャリア周波数および拡散符号の制御や、信号処理部１０３の動作制御を行い、通信可能なセルの探索や、位置登録処理、発着信制御、通話制御などを行う。
【００５８】
記憶部１０４ｂは、当該移動無線端末装置の制御プログラムや制御データ、当該移動無線端末装置やユーザに固有に割り当てられた識別情報を記憶するものであって、このほかに、名前と電話番号を対応づけた電話帳データや、データ通信により取得したデータやダウンロードしたデータを記憶する。また記憶部１０４ｂは、記憶部１０４ａと同様に、セル情報記憶エリア１０４１、位置登録エリア記憶エリア１０４２および候補セル情報記憶エリア１０４３を備える。
【００５９】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、通信すべき基地局ＢＳの選択に関わる動作について説明する。
【００６０】
図５は、通信すべき基地局ＢＳを選択する動作について説明するフローチャートであって、この処理は制御部１００ｂによってなされる。このフローチャートに示す制御を実現するための制御プログラムは、記憶部１０４ｂに記録される。この処理は、電源投入時、接続断後、待ち受け時のリセレクションなどその他３ＧＰＰ規格で規定される基地局ＢＳの選択が必要とされる時点において実施される。
【００６１】
まず、ステップ５ａにおいて制御部１００ｂは、セルサーチ処理を実施し、この処理によって検出したセルの情報を候補セル情報記憶エリア１０４３に記録して、ステップ５ｂに移行する。
【００６２】
なお、上記セルサーチ処理の具体的な処理としては、送受信部１０２を制御し、これに種々のキャリア周波数および拡散符号を順次割り当てて、基地局ＢＳから送信されるパイロット信号を探索し、受信に適したセルを最大ｎ個検出する（ｎ＞１）。そして、この時点で既に候補セル情報記憶エリア１０４３に記録されていたセルの情報（前回のセルサーチ処理によって得られた情報）を消去する。そして、今回のセルサーチ処理で検出したセルに対応するパイロット信号の受信レベル、受信に用いた周波数および拡散符号の各識別情報を対応づけて、候補セル情報記憶エリア１０４３に記録する。
【００６３】
ステップ５ｂにおいて制御部１００ｂは、候補セル情報記憶エリア１０４３に記録される情報を参照し、ステップ５ａで実施したセルサーチ処理でセルが検出できたか否かを判定する。ここで、セルが検出できた場合には、ステップ５ｃに移行する。一方、セルが検出できなかった場合には、当該処理を終了し、表示手段に当該無線通信端末が運用できないサービス圏外に位置する旨の表示を行うとともに、圏外処理を実施する。
【００６４】
ステップ５ｃにおいて制御部１００ｂは、ステップ５ａで候補セル情報記憶エリア１０４３に記録したセルのうち、１つを選択し、ステップ５ｄに移行する。なお、ステップ５ｃのセル選択処理は、後述するステップ５ｈからの遷移により、繰り返し行われることになるため、以前の遷移で選択していないセルを選択する。またここでのセル選択の優先順位としては、受信レベルが最も高いパイロット信号に対応するセルから選択することが考えられる。
【００６５】
ステップ５ｄにおいて制御部１００ｂは、セル情報記憶エリア１０４１に記憶されている拡散符号の識別情報を参照し、ステップ５ｃで選択したセルがセル情報記憶エリア１０４１に記録されているか否かを判定する。
【００６６】
ここで、ステップ５ｃで選択したセルがセル情報記憶エリア１０４１に記録されている場合には、過去に検出したことのあるセルであると判定し、ステップ５ｅへ移行する。一方、ステップ５ｃで選択したセルがセル情報記憶エリア１０４１に記録されていない場合には、過去に検出したことのないセルであると判定し、ステップ５ｈへ移行する。
【００６７】
ステップ５ｅにおいて制御部１００ｂは、ステップ５ｃで選択したセルがセル情報記憶エリア１０４１で対応づけられている位置登録エリアの識別情報を検出し、この識別情報が、位置登録エリア記憶エリア１０４２に記憶されている最後に位置登録を行った位置登録エリアの識別情報と一致するか否かを判定する。ここで、２つの位置登録エリアの識別情報が一致する場合には、ステップ５ｆに移行し、一方、一致しない場合には、ステップ５ｈに移行する。
【００６８】
ステップ５ｆにおいて制御部１００ｂは、ステップ５ｃで選択したセルに対応する周波数および拡散符号の識別情報をセル情報記憶エリア１０４１から読みだし、これらの情報に基づいて送受信部１０２を制御して、ステップ５ｃで選択したセルに対応する基地局ＢＳが送信する報知情報を受信し、ステップ５ｇに移行する。
【００６９】
ステップ５ｇにおいて制御部１００ｂは、セル情報記憶エリア１０４１が記憶する情報のうち、ステップ５ｃで選択したセルに対応する情報を、ステップ５ｆで受信した報知情報に基づいて更新し、当該処理を終了する。この更新処理により、ステップ５ｆで受信した報知情報が、最新の情報としてセル情報記憶エリア１０４１に記憶される。
【００７０】
一方、ステップ５ｈにおいて制御部１００ｂは、ステップ５ａで候補セル情報記憶エリア１０４３に記録したセルが、ステップ５ｃの処理によりすべて選択済みであるか否かを判定する。ここで、すべて選択済みである場合には、ステップ５ｉに移行し、一方、まだ選択していないセルが候補セル情報記憶エリア１０４３に存在する場合には、ステップ５ｃに移行して、残るセルを選択する。
【００７１】
ステップ５ｉにおいて制御部１００ｂは、候補セル情報記憶エリア１０４３に記録されるセルのうち、受信レベルが最も高いパイロット信号に対応するセルを選択し、ステップ５ｊに移行する。
【００７２】
ステップ５ｊにおいて制御部１００ｂは、ステップ５ｉで選択したセルに対応する周波数および拡散符号の識別情報をセル情報記憶エリア１０４１から読みだし、これらの情報に基づいて送受信部１０２を制御して、ステップ５ｉで選択したセルに対応する基地局ＢＳが送信する報知情報を受信し、ステップ５ｋに移行する。
【００７３】
ステップ５ｋにおいて制御部１００ｂは、セル情報記憶エリア１０４１に記憶されている拡散符号の識別情報を参照し、ステップ５ｉで選択したセルがセル情報記憶エリア１０４１に記録されているか否かを判定する。
【００７４】
ここで、ステップ５ｉで選択したセルがセル情報記憶エリア１０４１に記録されている場合には、過去に検出したことのあるセルであると判定し、ステップ５ｌへ移行する。一方、ステップ５ｉで選択したセルがセル情報記憶エリア１０４１に記録されていない場合には、過去に検出したことのないセルであると判定し、ステップ５ｎへ移行する。
【００７５】
ステップ５ｌにおいて制御部１００ｂは、セル情報記憶エリア１０４１が記憶する情報のうち、ステップ５ｉで選択したセルに対応する情報を、ステップ５ｊで受信した報知情報に基づいて更新し、ステップ５ｍに移行する。この更新処理により、ステップ５ｉで受信した報知情報が、最新の情報としてセル情報記憶エリア１０４１に記憶される。
【００７６】
ステップ５ｍにおいて制御部１００ｂは、ステップ５ｊで受信した情報の基づいて送受信部１０２を制御し、ステップ５ｉで選択したセルを通じて位置登録処理を実施する。これにより、基地局ＢＳを収容する移動通信システムでは、当該移動無線端末装置が、ステップ５ｉで選択したセル内に存在するものとして、発着信などの種々の制御を行うことになる。
【００７７】
また、ステップ５ｍにおいて制御部１００ｂは、位置登録エリア記憶エリア１０４２に、ステップ５ｉで選択したセルに対応する位置登録エリアの識別情報を、最後に位置登録を行ったエリアとして記録し、当該処理を終了する。
【００７８】
一方、ステップ５ｎにおいて制御部１００ｂは、ステップ５ｊで受信した報知情報に基づいて、ステップ５ｉで選択したセルに対応する拡散符号の識別情報と、上記セルから送信されるパイロット信号を受信するために用いたサーチ周波数の識別情報と、上記セルが属する位置登録エリアの識別情報とを対応づけて、最新の情報としてセル情報記憶エリア１０４１に追加記録し、ステップ５ｏに移行する。この追加記録により、セル情報記憶エリア１０４１が記憶する情報のうち、最も古い情報が削除される。
【００７９】
ステップ５ｏにおいて制御部１００ｂは、ステップ５ｉで選択したセルがセル情報記憶エリア１０４１で対応づけられている位置登録エリアの識別情報を検出し、この識別情報が、位置登録エリア記憶エリア１０４２に記憶されている最後に位置登録を行った位置登録エリアの識別情報と一致するか否かを判定する。ここで、２つの位置登録エリアの識別情報が一致する場合には、当該処理を終了し、一方、一致しない場合には、ステップ５ｐに移行する。
【００８０】
ステップ５ｐにおいて制御部１００ｂは、ステップ５ｊで受信した情報の基づいて送受信部１０２を制御し、ステップ５ｉで選択したセルを通じて位置登録処理を実施する。これにより、基地局ＢＳを収容する移動通信システムでは、当該移動無線端末装置が、ステップ５ｉで選択したセル内に存在するものとして、発着信などの種々の制御を行うことになる。
【００８１】
また、ステップ５ｐにおいて制御部１００ｂは、位置登録エリア記憶エリア１０４２に、ステップ５ｉで選択したセルに対応する位置登録エリアの識別情報を、最後に位置登録を行ったエリアとして記録し、当該処理を終了する。
【００８２】
以上のように、上記構成の移動無線端末装置では、報知情報を受信したセルの識別情報と、そのセルが属する位置登録エリアの識別情報を対応づけてセル情報記憶エリア１０４１に記録しておくとともに、最後に位置登録を行った位置登録エリアの識別情報を位置登録エリア記憶エリア１０４２に記録しておく。
【００８３】
そして、セルサーチ処理により複数のセルを検出し、このうち、セル情報記憶エリア１０４１に記録される過去に検出したセルで、かつ最後に位置登録を行った位置登録エリアに属するセルから優先的に報知情報の受信を行うようにしている。
【００８４】
したがって、上記構成の移動無線端末装置によれば、過去に検出したセルで、かつ最後に位置登録を行った位置登録エリアに属するセルは、報知情報を受信したとしても位置登録処理を行う必要はないので、このようなセルを優先的に報知情報の受信対象セルとすることで、位置登録処理の実施回数が低減され、これにより不必要な位置登録処理の発生を抑制し、消費電力を低減することができる。
【００８５】
また、セルサーチの結果、検出したセルのすべてが、セル情報記憶エリア１０４１に記録されていない、すなわち過去に検出していないものであったり、あるいは最後に位置登録を行った位置登録エリアに属するものでない場合には、そのうち受信レベルの最も高いセルから報知情報を受信し、位置登録処理を行うようにしている。
【００８６】
このため、セル情報記憶エリア１０４１に記録され、かつ最後に位置登録を行った位置登録エリアに属するセルが見つからない場合でも、やがて位置登録処理が行われことになる。このため、移動に伴って位置登録の必要性が生じた場合でも、正常な運用が可能である。
【００８７】
次に、この発明の第３の実施形態に係わる移動無線端末装置について説明する。その構成を図６に示す。図６に示した移動無線端末装置は、図１に示した移動無線端末装置の構成と同様であるが、後述するように、通信すべき基地局ＢＳを選択する動作において制御内容が異なる。上記動作を実現するため制御手段として、制御部１００ａに代わって制御部１００ｃを備え、記憶部１０４ａに代わり記憶部１０４ｃを備える。
【００８８】
制御部１００ｃは、記憶部１０４ｃが記憶する制御プログラムや制御データにしたがって、当該移動無線端末装置の各部を統括して制御するものである。具体的には、送受信部１０２が用いるキャリア周波数および拡散符号の制御や、信号処理部１０３の動作制御を行い、通信可能なセルの探索や、位置登録処理、発着信制御、通話制御などを行う。
【００８９】
記憶部１０４ｃは、当該移動無線端末装置の制御プログラムや制御データ、当該移動無線端末装置やユーザに固有に割り当てられた識別情報を記憶するものであって、このほかに、名前と電話番号を対応づけた電話帳データや、データ通信により取得したデータやダウンロードしたデータを記憶する。
【００９０】
また記憶部１０４ｃは、記憶部１０４ａと同様に、セル情報記憶エリア１０４１、位置登録エリア記憶エリア１０４２ａおよび候補セル情報記憶エリア１０４３を備えるとともに、さらに制御フラグ記憶エリア１０４４を備える。
【００９１】
なお、位置登録エリア記憶エリア１０４２ａは、最後に位置登録を行った位置登録エリアの識別情報を記憶するエリアであり、さらに位置登録を行った際に、緊急通信などを除いて接続を拒否する旨を示すリジェクト信号（３ＧＰＰ規格ＴＳ２４．００８参照）を受信したか否かを示す情報も記憶するものである。
【００９２】
次に、上記構成の移動無線端末装置の動作について説明する。なお、以下の説明では、基地局ＢＳとの間に通信リンクを確立する手順や、音声通信やデータ通信を実現するための制御、電話帳データの登録や呼出、編集などの説明は省略し、通信すべき基地局ＢＳの選択に関わる動作について説明する。
【００９３】
図７は、通信すべき基地局ＢＳを選択する動作について説明するフローチャートであって、この処理は制御部１００ｃによってなされる。このフローチャートに示す制御を実現するための制御プログラムは、記憶部１０４ｃに記録される。この処理は、電源投入時、接続断後、待ち受け時のリセレクションなどその他３ＧＰＰ規格で規定される基地局ＢＳの選択が必要とされる時点において実施される。
【００９４】
まず、ステップ７Ａにおいて制御部１００ｃは、位置登録エリア記憶エリア１０４２ａを参照し、最後に位置登録を行った位置登録エリアからリジェクト信号を受信したか否かを判定する。ここで、リジェクト信号を受信していた場合には、ステップ７Ｂに移行し、一方、リジェクト信号を受信していない場合には、ステップ７ａに移行する。
【００９５】
ステップ７Ｂにおいて制御部１００ｃは、上記リジェクト信号を受信してからの経過時間Ｔが予め設定した閾値時間Ｔｒｅｊ以上経過しているか否かを判定する。ここで、経過時間Ｔが予め設定した閾値時間Ｔｒｅｊ以上経過している場合には、ステップ７ａに移行し、一方、閾値時間Ｔｒｅｊ未満しか経過しない場合には、ステップ７Ｃに移行する。
【００９６】
ステップ７Ｃにおいて制御部１００ｃは、後述するステップ７Ｈでの判定処理に関わる制御フラグを「１」に設定して制御フラグ記憶エリア１０４４に記録し、ステップ７ａに移行する。なお、制御フラグ記憶エリア１０４４に記憶される制御フラグは、図７に示す当該処理の開始時に、「０」にリセットされるものである。
【００９７】
ステップ７ａにおいて制御部１００ｃは、セルサーチ処理の実施回数を示すカウンタ値ｋを０に初期設定し、ステップ７ｂに移行する。続いてステップ７ｂにおいて制御部１００ｃは、セルサーチ処理を実施し、この処理によって検出したセルの情報を候補セル情報記憶エリア１０４３に記録して、ステップ７ｃに移行する。
【００９８】
なお、上記セルサーチ処理の具体的な処理としては、送受信部１０２を制御し、これに種々のキャリア周波数および拡散符号を順次割り当てて、基地局ＢＳから送信されるパイロット信号を探索し、受信に適したセルを最大ｎ個検出する（ｎ＞１）。そして、この時点で既に候補セル情報記憶エリア１０４３に記録されていたセルの情報（前回のセルサーチ処理によって得られた情報）を消去する。そして、今回のセルサーチ処理で検出したセルに対応するパイロット信号の受信レベル、受信に用いた周波数および拡散符号の各識別情報を対応づけて、候補セル情報記憶エリア１０４３に記録する。
【００９９】
ステップ７ｃにおいて制御部１００ｃは、カウンタ値ｋに「１」を加算し、ステップ７ｄに移行する。  
ステップ７ｄにおいて制御部１００ｃは、候補セル情報記憶エリア１０４３に記録される情報を参照し、ステップ７ｂで実施したセルサーチ処理でセルが検出できたか否かを判定する。ここで、セルが検出できた場合には、ステップ７ｆに移行する。一方、セルが検出できなかった場合には、ステップ７ｅに移行する。
【０１００】
ステップ７ｅにおいて制御部１００ｃは、カウンタ値ｋが予め設定された閾値ｋｍａｘ以上か否かを判定する。ここで、カウンタ値ｋが予め設定された閾値ｋｍａｘ以上、すなわちステップ７ｂのセルサーチ処理をｋｍａｘ回以上行った場合には、当該処理を終了し、表示手段に当該無線通信端末が運用できないサービス圏外に位置する旨の表示を行うとともに、圏外処理を実施する。
【０１０１】
一方、カウンタ値ｋが予め設定された閾値ｋｍａｘ未満、すなわちステップ７ｂのセルサーチ処理をｋｍａｘ回以上行っていない場合には、ステップ７ｂに移行して、再度、セルサーチ処理を実施する。
【０１０２】
ステップ７ｆにおいて制御部１００ｃは、ステップ７ｂで候補セル情報記憶エリア１０４３に記録したセルのうち、受信レベルが最も高いパイロット信号に対応するセルを選択し、ステップ７ｇに移行する。
【０１０３】
ステップ７ｇにおいて制御部１００ｃは、セル情報記憶エリア１０４１に記憶されている拡散符号の識別情報を参照し、ステップ７ｆで選択したセルがセル情報記憶エリア１０４１に記録されているか否かを判定する。
【０１０４】
ここで、ステップ７ｆで選択したセルがセル情報記憶エリア１０４１に記録されている場合には、過去に検出したことのあるセルであると判定し、ステップ７Ｈへ移行する。一方、ステップ７ｆで選択したセルがセル情報記憶エリア１０４１に記録されていない場合には、過去に検出したことのないセルであると判定し、ステップ７ｏへ移行する。
【０１０５】
ステップ７Ｈにおいて制御部１００ｃは、ステップ７ｆで選択したセルがセル情報記憶エリア１０４１で対応づけられている位置登録エリアの識別情報を検出し、この識別情報が、位置登録エリア記憶エリア１０４２ａに記憶されている最後に位置登録を行った位置登録エリアの識別情報と一致するか否かを判定する。ここで、２つの位置登録エリアの識別情報が一致する場合には、ステップ７ｍに移行し、一方、一致しない場合には、ステップ７ｉに移行する。
【０１０６】
ステップ７Ｈにおいて制御部１００ｃは、制御フラグ記憶エリア１０４４が記憶する制御フラグを参照し、制御フラグとして「０」が記憶される場合には、通常処理を実施し、一方、制御フラグとして「１」が記憶される場合には、反転処理を実施する。
【０１０７】
通常処理を行う場合に制御部１００ｃは、ステップ７ｆで選択したセルがセル情報記憶エリア１０４１で対応づけられている位置登録エリアの識別情報を検出し、この識別情報が、位置登録エリア記憶エリア１０４２ａに記憶されている最後に位置登録を行った位置登録エリアの識別情報と一致するか否かを判定する。ここで、２つの位置登録エリアの識別情報が一致する場合には、ステップ７ｍに移行し、一方、一致しない場合には、ステップ７ｉに移行する。
【０１０８】
これに対し、反転処理を行う場合に制御部１００ｃは、上記通常処理と同様に、ステップ７ｆで選択したセルがセル情報記憶エリア１０４１で対応づけられている位置登録エリアの識別情報を検出し、この識別情報が、位置登録エリア記憶エリア１０４２ａに記憶されている最後に位置登録を行った位置登録エリアの識別情報と一致するか否かを判定する。
【０１０９】
しかし上記判定処理で制御部１００ｃは、上記通常処理とは反対にステップの移行を行う。すなわち、ここで、２つの位置登録エリアの識別情報が一致する場合には、ステップ７ｉに移行し、一方、一致しない場合には、ステップ７ｍに移行する。
【０１１０】
ステップ７ｉにおいて制御部１００ｃは、カウンタ値ｋが予め設定された閾値ｋｍａｘ以上か否かを判定する。ここで、カウンタ値ｋが閾値ｋｍａｘ以上、すなわちステップ７ｂのセルサーチ処理をｋｍａｘ回以上行った場合には、ステップ７ｆで選択したセルから報知情報を受信するために、ステップ７ｊに移行する。
【０１１１】
一方、カウンタ値ｋが予め設定された閾値ｋｍａｘ未満、すなわちステップ７ｂのセルサーチ処理をｋｍａｘ回以上行っていない場合には、再びステップ７ｂに移行して、再度、セルサーチ処理を実施する。
【０１１２】
ステップ７ｊにおいて制御部１００ｃは、ステップ７ｆで選択したセルに対応する周波数および拡散符号の識別情報をセル情報記憶エリア１０４１から読みだし、これらの情報に基づいて送受信部１０２を制御して、ステップ７ｆで選択したセルに対応する基地局ＢＳが送信する報知情報を受信し、ステップ７ｋに移行する。
【０１１３】
ステップ７ｋにおいて制御部１００ｃは、セル情報記憶エリア１０４１が記憶する情報のうち、ステップ７ｆで選択したセルに対応する情報を、ステップ７ｊで受信した報知情報に基づいて更新し、ステップ７Ｌに移行する。この更新処理により、ステップ７ｊで受信した報知情報が、最新の情報としてセル情報記憶エリア１０４１に記憶される。
【０１１４】
ステップ７Ｌにおいて制御部１００ｃは、ステップ７ｊで受信した情報の基づいて送受信部１０２を制御し、ステップ７ｆで選択したセルを通じて位置登録処理を実施する。これにより、基地局ＢＳを収容する移動通信システムでは、当該移動無線端末装置が、ステップ７ｆで選択したセル内に存在するものとして、発着信などの種々の制御を行うことになる。
【０１１５】
また、ステップ７Ｌにおいて制御部１００ｃは、位置登録エリア記憶エリア１０４２ａに、ステップ７ｆで選択したセルに対応する位置登録エリアの識別情報を、最後に位置登録を行ったエリアとして記録し、当該処理を終了する。なお、上記位置登録処理の際に、リジェクト信号を受信した場合には、それを示す情報も記録する。
【０１１６】
一方、ステップ７ｍにおいて制御部１００ｃは、ステップ７ｆで選択したセルに対応する周波数および拡散符号の識別情報をセル情報記憶エリア１０４１から読みだし、これらの情報に基づいて送受信部１０２を制御して、ステップ７ｆで選択したセルに対応する基地局ＢＳが送信する報知情報を受信し、ステップ７ｎに移行する。
【０１１７】
ステップ７ｎにおいて制御部１００ｃは、セル情報記憶エリア１０４１が記憶する情報のうち、ステップ７ｆで選択したセルに対応する情報を、ステップ７ｍで受信した報知情報に基づいて更新し、当該処理を終了する。この更新処理により、ステップ７ｍで受信した報知情報が、最新の情報としてセル情報記憶エリア１０４１に記憶される。
【０１１８】
ステップ７ｏにおいて制御部１００ｃは、カウンタ値ｋが予め設定された閾値ｋｍａｘ以上か否かを判定する。ここで、カウンタ値ｋが閾値ｋｍａｘ以上、すなわちステップ７ｂのセルサーチ処理をｋｍａｘ回以上行った場合には、ステップ７ｆで選択したセルから報知情報を受信するために、ステップ７ｐに移行する。
【０１１９】
一方、カウンタ値ｋが予め設定された閾値ｋｍａｘ未満、すなわちステップ７ｂのセルサーチ処理をｋｍａｘ回以上行っていない場合には、再びステップ７ｂに移行して、再度、セルサーチ処理を実施する。
【０１２０】
ステップ７ｐにおいて制御部１００ｃは、ステップ７ｆで選択したセルに対応する周波数および拡散符号の識別情報をセル情報記憶エリア１０４１から読みだし、これらの情報に基づいて送受信部１０２を制御して、ステップ７ｆで選択したセルに対応する基地局ＢＳが送信する報知情報を受信し、ステップ７ｑに移行する。
【０１２１】
ステップ７ｑにおいて制御部１００ｃは、ステップ７ｐで受信した報知情報に基づいて、ステップ７ｆで選択したセルに対応する拡散符号の識別情報と、上記セルから送信されるパイロット信号を受信するために用いたサーチ周波数の識別情報と、上記セルが属する位置登録エリアの識別情報とを対応づけて、最新の情報としてセル情報記憶エリア１０４１に追加記録し、ステップ７ｒに移行する。この追加記録により、セル情報記憶エリア１０４１が記憶する情報のうち、最も古い情報が削除される。
【０１２２】
ステップ７ｒにおいて制御部１００ｃは、ステップ７ｆで選択したセルがセル情報記憶エリア１０４１で対応づけられている位置登録エリアの識別情報を検出し、この識別情報が、位置登録エリア記憶エリア１０４２ａに記憶されている最後に位置登録を行った位置登録エリアの識別情報と一致するか否かを判定する。ここで、２つの位置登録エリアの識別情報が一致する場合には、当該処理を終了し、一方、一致しない場合には、ステップ７Ｓに移行する。
【０１２３】
ステップ７Ｓにおいて制御部１００ｃは、ステップ７ｐで受信した情報の基づいて送受信部１０２を制御し、ステップ７ｆで選択したセルを通じて位置登録処理を実施する。これにより、基地局ＢＳを収容する移動通信システムでは、当該移動無線端末装置が、ステップ７ｆで選択したセル内に存在するものとして、発着信などの種々の制御を行うことになる。
【０１２４】
また、ステップ７Ｓにおいて制御部１００ｃは、位置登録エリア記憶エリア１０４２ａに、ステップ７ｆで選択したセルに対応する位置登録エリアの識別情報を、最後に位置登録を行ったエリアとして記録し、当該処理を終了する。なお、上記位置登録処理の際に、リジェクト信号を受信した場合には、それを示す情報も記録する。
【０１２５】
以上のように、上記構成の移動無線端末装置では、報知情報を受信したセルの識別情報と、そのセルが属する位置登録エリアの識別情報を対応づけてセル情報記憶エリア１０４１に記録しておくとともに、最後に位置登録を行った位置登録エリアの識別情報を、リジェクト信号を受信したか否かを示す情報とともに、位置登録エリア記憶エリア１０４２ａに記録しておく。
【０１２６】
そして、位置登録を行った際にリジェクト信号を受信していない場合には、セルサーチ処理の結果、検出したセルが、セル情報記憶エリア１０４１に記録されていないもの、つまり過去に検出していないセルであったり、あるいは最後に位置登録を行った位置登録エリアに属するものでない場合には、改めてセルサーチを行うようにする。
【０１２７】
その一方で、セル情報記憶エリア１０４１に記録される過去に検出したセルで、かつ最後に位置登録を行った位置登録エリアに属するものについては、優先的に報知情報の受信を行うようにしている。すなわち、過去に検出したセルで、かつ最後に位置登録を行った位置登録エリアに属するセルを、優先的に報知情報の受信対象セルとするようにしている。
【０１２８】
したがって、上記構成の移動無線端末装置によれば、過去に検出したセルで、かつ最後に位置登録を行った位置登録エリアに属するセルは、報知情報を受信したとしても位置登録処理を行う必要はないので、このようなセルを優先的に報知情報の受信対象セルとすることで、位置登録処理の実施回数が低減され、これにより不必要な位置登録処理の発生を抑制し、消費電力を低減することができる。
【０１２９】
また、セルサーチの結果、検出したセルが、セル情報記憶エリア１０４１に記録されていない、すなわち過去に検出していないものであったり、あるいは最後に位置登録を行った位置登録エリアに属するものでない場合には、改めてセルサーチを行うが、セルサーチの実施回数が閾値ｋｍａｘに達した場合には、セル情報記憶エリア１０４１に記録されていないセルであったり、あるいは最後に位置登録を行った位置登録エリアに属するセルでなくても、報知情報を受信し、位置登録処理を行うようにしている。
【０１３０】
このため、セル情報記憶エリア１０４１に記録され、かつ最後に位置登録を行った位置登録エリアに属するセルが見つからない場合でも、やがて位置登録処理が行われことになる。このため、移動に伴って位置登録の必要性が生じた場合でも、正常な運用が可能である。
【０１３１】
一方、位置登録を行った際にリジェクト信号を受信した場合には、ステップ７Ｈの判定を反転させることで、セルサーチ処理の結果、検出したセルが、過去に検出していないセルであったり、あるいは最後に位置登録を行った位置登録エリアに属するものである場合には、改めてセルサーチを行うようにする。
【０１３２】
その一方で、過去に検出したセルで、かつ最後に位置登録を行った位置登録エリアに属さないものについては、優先的に報知情報の受信を行うようにしている。すなわち、過去に検出したセルで、かつ最後に位置登録を行った位置登録エリアに属さないセルを、優先的に報知情報の受信対象セルとするようにしている。
【０１３３】
したがって、上記構成の移動無線端末装置によれば、過去に検出したセルで、かつ接続を拒否されないセルを優先的に報知情報の受信対象セルとすることで、位置登録処理の実施回数が低減され、かつ接続可能な状態で待ち受けが行いやすくなり、これにより不必要な位置登録処理の発生を抑制し、消費電力を低減することができる。
【０１３４】
なお、この発明は上記実施形態そのままに限定されるものではなく、種々の変形が可能である。その一例として例えば、上記実施の形態では、ステップ７ａからステップ７ｂに移行した場合、ステップ７ｅからステップ７ｂに移行した場合、ステップ７ｉからステップ７ｂに移行した場合、およびステップ７ｏからステップ７ｂに移行した場合で、これらを区別することなく、ステップ７ｃでカウンタ値ｋをインクリメントするようにしている。
【０１３５】
これに代わって例えば、ステップ７ｂに遷移する過程に応じて、異なるカウンタ値ｋを用いるようにし、ステップ７ｅ、７ｉ、７ｏでそれぞれに対応するカウンタ値ｋを判定するようにしてもよい。
【０１３６】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【図面の簡単な説明】
【０１３７】
【図１】この発明に係わる移動無線端末装置の第１の実施の形態の構成を示す回路ブロック図。
【図２】図１に示した移動無線端末装置の記憶部のセル情報記憶エリアに記憶される情報の一例を示す図。
【図３】図１に示した移動無線端末装置の動作を説明するためのフローチャート。
【図４】この発明に係わる移動無線端末装置の第２の実施の形態の構成を示す回路ブロック図。
【図５】図４に示した移動無線端末装置の動作を説明するためのフローチャート。
【図６】この発明に係わる移動無線端末装置の第３の実施の形態の構成を示す回路ブロック図。
【図７】図６に示した移動無線端末装置の動作を説明するためのフローチャート。
【符号の説明】
【０１３８】
１００ａ，１００ｂ，１００ｃ…制御部、１０１…アンテナ、１０２…送受信部、１０３…信号処理部、１０４ａ，１０４ｂ，１０４ｃ…記憶部、１０４１…セル情報記憶エリア、１０４２，１０４２ａ…位置登録エリア記憶エリア、１０４３…候補セル情報記憶エリア、１０４４…制御フラグ記憶エリア、ＢＳ…基地局。
【図１】
2006333252.tif 000003
【図２】
2006333252.tif 000004
【図３】
2006333252.tif 000005
【図４】
2006333252.tif 000006
【図５】
2006333252.tif 000007
【図６】
2006333252.tif 000008
【図７】
2006333252.tif 000009